(57)【要約】本発明は、携帯機器構造に関するものであって、通話情報及び各種通信情報を表示するためのディスプレイ部と、ディスプレイ部が結合支持される本体とからなり、上記ディスプレイ部が回路基板を挟んで前後面の両側にディスプレイウィンドウを備え、長手方向に沿う一側先端の両側面にスライダーが突出設置された構造を有し、上記本体は底壁を備え、上記底壁の縁部２面または３面に側壁が上側に突出形成されており、底壁の残りの縁部の１側または２側面は開放されて開放部をなすようになっている一方、上記２面または３面の突出側壁のうち、対向する両側側壁の内面に長手方向に沿ってスライド溝が形成されており、上記スライド溝に上記ディスプレイ部のスライダーが移動できるように挟まれて挿入されており、底面の裏面にバッテリが締結された構造からなっている。本発明の携帯機器構造は、ディスプレイ部の前後の両面にディスプレイウィンドウが備えられており、各々個別的にまたは同時に互いに異なる情報を表示することができ、上記ディスプレイ部を本体の側壁に形成されたスライド溝の中に挟んだ状態で上下に移動させることができるのみならず、本体のスライダー溝の中に挟まれたディスプレイ部のスライダーを中心としてディスプレイ部を回転させることができるので、ディスプレイ部の前後面を選択して前方に位置するようにすることができるので、便利に利用することができる。【選択図】図１
2009536495.tif 000002
【特許請求の範囲】
【請求項１】
通話情報及びその他の各種の通信情報を表示するためのディスプレイ部と前記ディスプレイ部が結合支持される本体とからなり、前記ディスプレイ部は前面及び後面にディスプレイウィンドウを備えており、かつ長手方向に沿う一側先端の両側面にスライディング部材が形成され、前記本体は中心部にディスプレイ部が安着結合される結合溝がなされており、前記結合溝の両側側壁の内面に前記ディスプレイ部のスライディング部材と結合されるスライディング部材が形成されている一方、前記本体のスライディング部材に前記ディスプレイ部のスライディング部材がスライディングされて移動できるように挟まれて挿入されたことを特徴とする携帯機器構造。
【請求項２】
前記ディスプレイ部のスライディング部材は、長手方向に沿う一側先端の両側面に突出設置されたスライダーであり、本体のスライディング部材は結合溝の両側側壁の内面に長手方向に沿って形成されたスライド溝であることを特徴とする請求項１に記載の携帯機器構造。
【請求項３】
前記ディスプレイ部のスライディング部材は長手方向に沿って両側の外側壁に形成されたスライド溝であり、本体のスライディング部材は結合溝の両側側壁の内面に突出設置されたスライダーであることを特徴とする請求項１に記載の携帯機器構造。
【請求項４】
前記ディスプレイ部は、回路基板を挟んで前後面の両側にディスプレイウィンドウを備えていることを特徴とする請求項１に記載の携帯機器構造。
【請求項５】
前記結合溝の少なくとも一側または両側面は開放されて開放部をなすようになっていることを特徴とする請求項１に記載の携帯機器構造。
【請求項６】
前記ディスプレイ部のディスプレイウィンドウに機能ボタンが共に設置され、前記底壁の裏面にバッテリが締結されてなされることを特徴とする請求項１に記載の携帯機器構造。
【請求項７】
前記ディスプレイ部のディスプレイウィンドウがタッチスクリーンからなり、各種の情報を選択するためのメニューが表示されるようにしたことを特徴とする請求項１に記載の携帯機器構造。
【請求項８】
前記スライダーを中心としてディスプレイ部を持ち上げれば、前後面のディスプレイウィンドウが起立した状態になって、前面ディスプレイウィンドウまたは後面ディスプレイウィンドウに表示される情報をユーザが便利な角度で読取できるように構成されたことを特徴とする請求項１または３に記載の携帯機器構造。
【請求項９】
前記ディスプレイ部が起立した状態でスライダーを一側に押しながら前記ディスプレイ部を回すと、前記ディスプレイウィンドウが前面または後面に回転可能に構成されたことを特徴とする請求項８に記載の携帯機器構造。
【請求項１０】
前記前面のディスプレイウィンドウは無線またはインターネットから音楽のＭＰ３ファイルをダウンロードして再生プログラムを用いて音楽を鑑賞するＭＰ３プレーヤ（ＭＰ３Ｐ）、または携帯電話固有の機能を遂行することに必要とされる情報を表示するようにすることができ、裏面のディスプレイウィンドウにはビデオゲームを提供するプレイステーション、ＤＭＢ、メモリに格納された映画再生のＰＭＰ、情報表示のＰＤＡ、ＵＭＰＣ、電子辞書、またはナビゲーターのような機能を遂行することに必要とされる映像または情報が表示されるように構成することを特徴とする請求項１乃至４のうち、いずれか１つに記載の携帯機器構造。
【請求項１１】
前記スライダー溝の上下面のうち、どれか１面に少なくとも１つのストッパが形成されることができ、該スライダー溝に位置するスライダーの外周面に前記ストッパと相応する停止溝が形成できるので、前記スライダーに結合されたディスプレイ部が長手方向に間隔調節できることを特徴とする請求項２に記載の携帯機器構造。
【請求項１２】
前記スライダー溝の上下面のうち、どれか一面に少なくとも１つのストッパが形成されることができ、該スライダー溝に位置するスライダーの外周面に前記ストッパと相応する停止溝が多数形成できるので、前記スライダーに結合されたディスプレイ部が長手方向の間隔調節及び角度調節できることを特徴とする請求項２に記載の携帯機器構造。
【請求項１３】
前記停止溝の形成角度は、０゜、３０゜、４５゜、５０゜、６０゜、７０゜、８０゜、９０゜など、水平以上の角度であることを特徴とする請求項１２に記載の携帯機器構造。
【請求項１４】
前記スライダーは、前記スライダー溝の内部に挿入されて上下面接触する移動ブロックと、前記移動ブロックの内側壁に回転されるように結合されて回転される連結部材とからなることができることを特徴とする請求項２に記載の携帯機器構造。
【請求項１５】
前記移動ブロックと連結部材との接触面に相応する鋸歯が各々形成されて前記ディスプレイ部の角度が調節できることを特徴とする請求項１４に記載の携帯機器構造。
【請求項１６】
前記結合溝にはその両端に前記ディスプレイ部の移動方向と平行する突起部が前記ディスプレイ部の表面と微細に離隔した状態に形成できることを特徴とする請求項２に記載の携帯機器構造。
【請求項１７】
前記本体には機能を選択し操作するキーボード形態で蓋タイプまたはスライディングタイプで開放される操作部がさらに備えられ、前記操作部の内部に機能を追加、取替、削除、またはアップグレードできるスロット（Slot）が備えられることを特徴とする請求項１に記載の携帯機器構造。
【請求項１８】
前記スライダーにはその内側または外側に回転されるようにピニオンが備えられ、前記ピニオンに歯合され、前記ディスプレイ部が水平移動できるように前記スライダー溝の底に固定されるラックが備えられることを特徴とする請求項２に記載の携帯機器構造。
【請求項１９】
前記スライダーは、その先端が前記本体の両側スライダー溝に各々挿入されるブロック形態であるガイド部材のガイド突起部に従って一律的に移動し、かつ、
前記ガイド突起部に挿入できるように相応する円筒形状でその一側が部分切欠された切欠部の上段に係止溝が形成され、上面中心部に端部から始まる第１溝が形成される接触部と、前記接触部の後段中心部に十字形状で形成されて前記ディスプレイ部に固定される固定部とからなることができることを特徴とする請求項２に記載の携帯機器構造。
【請求項２０】
前記ガイド部材は、前記スライダーの接触部が結合される水平円柱形状で一側面に結合溝が形成されるガイド突起部と、前記結合溝の反対方向に延びる延長部の前面で前記スライダーの接触部が移動して外周面に位置した状態で前記延長部に前記ディスプレイ部の回転角度に従い１つ以上が異なるように形成される挿入溝と、前記ガイド突起部の上部に不規則な間隔を有するように１つ以上に形成されて、前記接触部の係止溝がかかって移動位置が制限できる係止突起とからなることができることを特徴とする請求項１９に記載の携帯機器構造。
【請求項２１】
前記延長部には前記スライダーが移動して前記ディスプレイ部の回転角だけ同一に回転できるように前記挿入溝とその反対方向に締結されて備えられ、かつ、
前記ガイド突起部と同一な直径を有する円柱形状で前記結合溝と相応する結合突起が一側面に形成され、上面の中央部に前記第１溝に相応し、かつ該スライダーの位置を制限する停止突起と、該内側面に前記挿入溝と相応する形状でガイド面と対向する一側面に形成されて、該挿入溝と同一な角度に回転されれば挿入される挿入突起から構成される回転部材と、
前記回転部材の挿入突起に前記延長部の後方で前記挿入ホールを通じて締結され、前記挿入突起に締結される先端に形成されるフランジ形態の固定部材と、前記固定部材に一端が固定され、他端は前記延長部のホールに固定されて捩れることと、水平方向に復原力を提供する弾性部材とから構成される復原部と、
からなることができることを特徴とする請求項２０に記載の携帯機器構造。
【請求項２２】
前記スライダーはその一端が前記ディスプレイ部に固定される十字形状で他端に回転されるように第１ピニオンが備えられ、前記ピニオンに歯合され、前記ディスプレイ部が水平移動できるように前記スライダー溝の側壁に固定される第１ラックが備えられることを特徴とする請求項２に記載の携帯機器構造。
【請求項２３】
前記第１ピニオンの上部に軸により固定されるガイドブロックが備えられ、前記ガイドブロックが移動できるように前記スライダー溝の上部に長手方向のガイド溝が形成できることを特徴とする請求項２２に記載の携帯機器構造。
【請求項２４】
前記本体の背面には別途の着脱式補助バッテリパックがさらに備えられることを特徴とする請求項１に記載の携帯機器構造。
【請求項２５】
前記補助バッテリパックは、その底面に前記本体の内部のＰＣＢ基板に接続される溝形態の雌端子と相応した位置である対角線方向に電気的に連結できるように雄端子が各々備えられ、他の対角線方向には前記本体に溝形態のガイド溝と相応した位置に結合が容易であるようにガイド突起が各々形成できることを特徴とする請求項２４に記載の携帯機器構造。
【請求項２６】
前記補助バッテリパックには車両の前面ガラスに着脱できる吸着式据置台がさらに備えられることを特徴とする請求項２４に記載の携帯機器構造。
【発明の詳細な説明】
【技術分野】
【０００１】
本発明は、携帯機器構造に関し、特に携帯機器の本体とディスプレイ部とが互いに移動できるようになされており、かつディスプレイ部の前後面全てにディスプレイウィンドウを備え、ディスプレイ部を本体に対して移動及び前後転換させながら使用できるようにした携帯機器構造に関する。
【背景技術】
【０００２】
通信機器が発達するにつれて、多様な構造の携帯機器が提案されているのみならず、このような携帯機器は、携帯電話機能にＭＰ３、ＤＭＢ、またはＰＤＡのような種々の機能を付加して使用する趨勢である。
【０００３】
このような機能を遂行するために、比較的大きいディスプレイウィンドウを持たなければ多様な映像情報が表現できないが、現在の携帯電話機能を持つ携帯機器はディスプレイウィンドウが位置する部分に各種機能ボタンが備えられていて、ディスプレイウインドウのサイズを限定せざるを得ない。
【０００４】
上記の携帯機器の従来のＰＭＰは、大画面（例：４．３″、４．０″等）を有するので、小画面（例：２．２″、２．０″等）よりは消費電力が大きいので、ＭＰ３Ｐ機能や音声通話機能などでは、既存のＰＭＰは不要な“高電力の大画面”を使用することになって、使用時簡が短くなる原因となる。
【０００５】
したがって、移動通信端末機の通話、ＭＰ３Ｐ機能において、“低電力の小画面”を使用することにより、使用時間の延長と、バッテリの消耗の最小化が要求され、視覚的や製品の機能的な面でもＰＭＰ、ナビゲーター、ＵＭＰＣ、ゲーム、ウェブサーフィン、Ｅ−ｍａｉｌなどの機能の時は大画面（例：４．３″、４．０″等）を使用し、携帯電話、ＭＰ３Ｐ、短文メッセージなどでは小画面（例：２．２″、２．０″等）を使用することにより、有用性、便利性が要求されている実状である。
【０００６】
また、多様な種類の携帯機器、即ち、ＭＰ３Ｐ、ＤＭＢ、ＰＭＰ、ＰＤＡ、ＰＳＰ、ＵＭＰＣ、ナビゲーター、及び携帯端末機をユーザの必要によって個別に購買することにより、購買に従う費用の浪費をもたらし、各個別装置を廃棄することによって環境汚染及び資源浪費が発生する。
【発明の開示】
【発明が解決しようとする課題】
【０００７】
本発明は、上記のような問題を解決するために案出したものであって、従来の一般的な携帯機器構造に従う問題点と不便さを解決して、携帯機器を多様な機能に使用することができ、かつ本体で移動可能に結合されるディスプレイ部の両側面に携帯電話機能を遂行するためのディスプレイウィンドウと、映像を鑑賞するための広いディスプレイウィンドウを各々別に備えて多様な機能が同時に遂行できるようにし、ディスプレイウィンドウに表示される情報が便利に見つめられるようにした携帯機器構造を提供することをその目的とする。
【０００８】
また、本発明の他の目的は、従来の個別的な製品として存在して機能を具現する携帯機器（例：ＭＰ３Ｐを始めとするＤＭＢ、ＰＭＰ、ＰＤＡ、ＰＳＰ、ＵＭＰＣ、ナビゲーター、携帯電話等）を１つの端末機に統合して、前面のディスプレイウィンドウはＭＰ３プレーヤ（ＭＰ３Ｐ）、携帯電話固有の音声通話機能などを、裏面のディスプレイウィンドウにはビデオゲームを提供するプレイステーション（ＰＳＰ）、ＤＭＢ、メモリに格納された映画再生（ＰＭＰ）、情報表示のＰＤＡ、手中のＰＣ（ＵＭＰＣ）、ナビゲーションのような機能を希望する動作状態にディスプレイウィンドウを回転して遂行するように構成できる携帯機器構造を提供することにある。
【０００９】
また、本発明の更に他の目的は、スライダーを中心としてディスプレイ部を持ち上げれば、前後面ディスプレイウィンドウが起立した状態になって、前後面ディスプレイウィンドウに表示される情報をユーザが便利な角度で読取できるように構成することができ、ディスプレイ部が起立した状態でスライダーを一側へ押しながら上記ディスプレイ部を回すと、上記ディスプレイウィンドウが前面または後面に回転可能に構成される携帯機器構造を提供することにある。
【課題を解決するための手段】
【００１０】
上記の目的を達成するための本発明の第１の特徴によると、日程及びアドレス管理の他にも、メモとデータ蓄積、無線通信網とインターネットに接続が可能であって、新たなデータ通信などが可能であるように設計された手帳サイズの個人向け携帯情報端末機（ＰＤＡ）と、映像圧縮技術の標準規格であるＭＰＥＧで規定した高音質のオーディオ圧縮技術であって、インターネットから音楽のＭＰ３ファイルをダウンロードして内蔵されたメモリに格納して再生プログラムを用いて音楽を鑑賞するＭＰ３プレーヤ（ＭＰ３Ｐ）と、通信網やディジタル家電製品と連結してビデオゲームをしたり、エモーションエンジンを使用した専用ＣＰＵを装着して移動及び携帯してビデオゲームを提供するプレイステーション（ＰＳＰ）と、通話情報及び各種通信情報を表示するためのディスプレイ部、及び別の入力ウィンドウが構成されて音声通信及びデータ通信が可能な移動通信端末機と、文字メッセージの送受信が可能で、無線インターネット基盤のサーフィンが可能で、電子メールを作成／確認することができ、電子辞書または手中のＰＣ機能を活用するためにキーボードが備えられたＰＭＰ、またはウルトラモバイルＰＣ（ＵＭＰＣ）と、音声・映像などの多様なマルチメディア信号をディジタル方式により変調・固定して該当プログラムを衛星に送出して衛星から送出したり、地上で該当周波数を用いてプログラムを転送して、移動中に高音質・高画質の放送を提供するＤＭＢ（Digital
Multimedia Broadcasting）フォンが一体で構成された携帯機器構造を提供する。
【００１１】
上記の目的を達成するための本発明の第２特徴によると、通話情報及びその他の各種の通信情報を表示するためのディスプレイ部と上記ディスプレイ部が結合支持される本体とからなり、上記ディスプレイ部は前後面及び両側にディスプレイウィンドウを備えており、かつ長手方向に沿う一側先端の両側面にスライディング部材が形成され、上記本体は中心部にディスプレイ部が安着結合される結合溝がなされており、上記結合溝の両側側壁の内面に上記ディスプレイ部のスライディング部材と結合されるスライディング部材が形成されている一方、上記本体のスライディング部材に上記ディスプレイ部のスライディング部材がスライディングされて移動できるように挟まれて挿入されて構成された携帯機器構造を提供する。
【００１２】
この際、本発明の付加的な特徴によると、上記ディスプレイ部のスライディング部材は、長手方向に沿う一側先端の両側面に突出設置されたスライダーであり、本体のスライディング部材は結合溝の両側側壁の内面に長手方向に沿って形成されたスライド溝であることが好ましい。
【００１３】
また、本発明の付加的な特徴によると、上記ディスプレイ部のスライディング部材は長手方向に沿って両側外側壁に形成されたスライド溝であり、本体のスライディング部材は結合溝の両側側壁の内面に突出設置されたスライダーであることが好ましい。
【００１４】
また、本発明の付加的な特徴によると、ディスプレイ部は、回路基板を挟んで前後面の両側にディスプレイウィンドウを備えていることが好ましい。
【００１５】
また、本発明の付加的な特徴によると、上記結合溝の少なくとも一側または両側面は開放されて開放部をなすようになっていることが好ましい。
【００１６】
また、本発明の付加的な特徴によると、上記ディスプレイ部のディスプレイウィンドウに機能ボタンが共に設置され、上記底壁の裏面にバッテリが締結されてなされることが好ましい。
【００１７】
また、本発明の付加的な特徴によると、上記ディスプレイ部のディスプレイウィンドウがタッチスクリーンからなり、各種の情報を選択するためのメニューが表示されるように構成されることが好ましい。
【００１８】
また、本発明の付加的な特徴によると、上記スライダーを中心としてディスプレイ部を持ち上げれば、前後面のディスプレイウィンドウが起立した状態になって、前面ディスプレイウィンドウまたは後面ディスプレイウィンドウに表示される情報をユーザが便利な角度で読取できるように構成されたことが好ましい。
【００１９】
また、本発明の付加的な特徴によると、上記ディスプレイ部が起立した状態でスライダーを一側に押しながら上記ディスプレイ部を回すと、上記ディスプレイウィンドウが前面または後面に回転可能に構成されたことが好ましい。
【００２０】
また、本発明の付加的な特徴によると、上記前面のディスプレイウィンドウは無線またはインターネットから音楽のＭＰ３ファイルをダウンロードして再生プログラムを用いて音楽を鑑賞するＭＰ３プレーヤ（ＭＰ３Ｐ）、または携帯電話固有の機能を遂行することに必要とされる情報を表示するようにすることができ、裏面のディスプレイウィンドウにはビデオゲームを提供するプレイステーション（ＰＳＰ）、ＤＭＢ、メモリに格納された映画またはＰＤＡのような機能を遂行することに必要とされる映像または情報を表示するように構成されたことが好ましい。
【００２１】
また、本発明の付加的な特徴によると、上記ディスプレイウィンドウが本体から突出する長さの調節が可能で、上記ディスプレイウィンドウの設定された角度調節が可能で、上記ディスプレイウィンドウの揺れを防止するように構成されたことが好ましい。
【００２２】
また、本発明の付加的な特徴によると、上記本体に別の補助バッテリパックを容易に接続させることができるように着脱することができ、上記補助バッテリパックに車両の前面ガラスに付着できるように付着式据置台が一体で構成されたことが好ましい。
【発明の効果】
【００２３】
本発明に係る携帯機器構造は、通話情報及びその他の各種の通信情報を表示するためのディスプレイ部の前後面にディスプレイウィンドウが各々設けられており、上記ディスプレイ部が本体に形成された結合溝の中に挟んで安着できるようになっており、上記ディスプレイ部が両側側面に突出設置されたスライダーを通じて本体の側壁に形成されたスライダー溝の中に挟まれて移動させることができるように結合されているので、上記ディスプレイ部を必要によって本体に対して立てたり裏返すことによって、前後面ディスプレイウィンドウが選択的に上面に上がってくるようにして、便利に使用することができる。
【００２４】
また、本発明に係る携帯機器構造は、本体にはバッテリのみを設け、ディスプレイ部に回路基板を設けることによって、ディスプレイ部が自由に移動しながら必要な情報を表示することができる。
【００２５】
また、スライダーを中心としてディスプレイ部を持ち上げれば、前後面ディスプレイウィンドウが起立した状態になって、前面ディスプレイウィンドウまたは後面ディスプレイウィンドウに表示される情報をユーザが便利な角度で読取・利用することができる。
【００２６】
また、ディスプレイ部が起立した状態でスライダーを一側へ押しながら上記ディスプレイ部を回すと、上記ディスプレイウィンドウが前面または後面に回転可能に構成して、使用上の効率を極大化することができる。
【００２７】
また、ユーザの使用の目的に従ってディスプレイ部が可変的に選択できるので、一般的な音声通話、ＭＰ３Ｐ機能使用の際、低電力の小画面を使用するようになって、使用時間が延長できるので、バッテリの使用を効率的に調整することができる。
【００２８】
また、ディスプレイウィンドウが可変的に構成できるので、視覚的や製品の機能的な面でも、ＰＭＰ、ナビゲーター、ＵＭＰＣ、ゲーム、ウェブサーフィン、Ｅ−ｍａｉｌなどの機能の時は大画面（例：４．３″、４．０″等）を使用し、音声通話、ＭＰ３Ｐ、短文メッセージなどでは小画面（例：２．２″、２．０″等）を使用するように構成できるので、その活用性及び有用性を極大化することができる。
【００２９】
また、ＭＰ３Ｐを始めとするＤＭＢ、ＰＭＰ、ＰＤＡ、ＰＳＰ、ＵＭＰＣ、ナビゲーター、携帯電話などの携帯機器を１つの端末機に統合して前面のディスプレイウィンドウはＭＰ３プレーヤ（ＭＰ３Ｐ）、携帯電話固有の音声通話機能を、裏面のディスプレイウィンドウにはビデオゲームを提供するプレイステーション（ＰＳＰ）、ＤＭＢ、メモリに格納された映画再生（ＰＭＰ）、情報表示のＰＤＡ、手中のＰＣ（ＵＭＰＣ）、ナビゲーター、及び電子辞書のような機能を希望する動作状態にディスプレイウィンドウを回転して遂行するように構成することができる。
【００３０】
また、ディスプレイウィンドウが本体から突出する長さの調節が可能であり、上記ディスプレイウィンドウの設定された角度調節が可能であり、上記ディスプレイウィンドウの揺れを防止するように構成することができる。
【００３１】
また、本体に別途の補助バッテリパックを容易に接続させるように着脱することができ、上記補助バッテリパックに車両の前面ガラスに付着できるように付着式据置台を一体で構成することができる。
【発明を実施するための最良の形態】
【００３２】
以下、本発明を添付した例示図面を参照しつつ詳細に説明する。
【００３３】
図１は本発明に係る携帯機器構造を示す分離斜視図であり、図２は本発明に係る携帯機器構造の結合斜視図であり、図３は図１のＡ−Ａ線による断面図であって、本発明に係る携帯機器のディスプレイ部の構造を示すものであり、図４は図２のＢ−Ｂ線による断面図であって、本発明に係る携帯機器のディスプレイ部と本体の結合構造を示す図であり、図５は本発明に係る携帯機器構造の使用例を示す結合側断面図であり、図６は本発明に係る携帯機器構造の使用例を示す図であり、図７は図６において携帯機器構造を一定角度（例：３０度、４５度、５０度、６０度、７０度、８０度等、水平以上の角度）に調整したことを表示した一実施形態であり、図８は本発明の他の実施形態を示す図である。
【００３４】
以下、これらの図面に図示したように、本発明に係る携帯機器構造は、通話情報及びその他の各種の通信情報を表示するためのディスプレイ部１と、ディスプレイ部１が結合支持される本体３とからなる。
【００３５】
ディスプレイ部１は、図３に断面図にて表示したように、回路基板５を挟んで前後面の両側にディスプレイウィンドウ７、９を備えており、かつ長手方向に沿う一側先端の両側面１１、１３にスライダー１５、１７が突出設置されている。
【００３６】
そして、本体３は底壁１９を備え、底壁１９の縁部の２面または３面に上側に突出形成された側壁２１、２３、２５が形成されて、本体３の中心部にディスプレイ部１が安着結合される結合溝２７がなされており、底壁１９の残りの縁部の１側または２側面は開放されて開放部２９をなすようになっている一方、上記２面または３面の突出側壁２１、２３、２５のうち、対向する両側側壁２３、２５の内面に長手方向に沿ってスライド溝３１、３３が形成されており、スライド溝３１、３３にディスプレイ部１の両側スライダー１５、１７が移動できるように挟まれて挿入されており、底壁１９の裏面にバッテリ３５が締結された構造からなっている。
また、突出側壁２１も開放部２９と同様に開放される構造を有することができ、その場合、突出側壁２３、２５のみ存在するようになる。
【００３７】
このような本発明の携帯機器構造は、ディスプレイ部１の前後面の各々にＬＣＤのようなディスプレイウィンドウ７、９が設けられているので、これらのディスプレイウィンドウ７、９を必要によって選択して使用することができる。
【００３８】
例えば、前面のディスプレイウィンドウ７は携帯電話固有の機能を遂行することに必要とされる情報またはＭＰ３プレーヤ、文字メッセージなどを表示するようにすることができ、裏面のディスプレイウィンドウ９にはＤＭＢ、メモリに格納された映画鑑賞のＰＭＰ、またはＰＤＡ、ナビゲーション、ＵＭＰＣのような機能を遂行することに必要とされる映像または情報を表示するようにすることができる。
【００３９】
また、当業者の用途によって、ディスプレイウィンドウ７、９を選択的に１つ以上に構成することができ、前面または裏面に１つのウィンドウでも構成することができる。
【００４０】
そして、ディスプレイウィンドウ７、９には機能ボタンを付加して設置することもでき、機能ボタンを省略する代わりに、タッチスクリーンを採用してディスプレイウィンドウ７、９に各種のメニューが表示されるようにすることで、メニューの選択により必要な機能を選択するようにすることができる。
【００４１】
一方、ディスプレイ部１の両側側面に突出設置されたスライダー１５、１７が本体３の側壁２３、２５に形成されたスライダー溝３１、３３に挿入されて上下に移動できるようになっているので、前面ディスプレイウィンドウ７が上側に上がってきてある状態でディスプレイ部１を本体３に対して完全に下方に密着させて、図２に示すように上下が揃えて結合された状態をなすようにして、前面ディスプレイウィンドウ７に表示される携帯電話固有の機能に必要な情報を利用することができる。
【００４２】
そして、必要によって図５に実線で示すように、上記対向する両側側壁２３、２５の内面に長手方向に沿って形成されたスライド溝３１、３３に移動できるように挟まれて挿入されている両側スライダー１５、１７を中心としてディスプレイ部１を持ち上げれば、前後面ディスプレイウィンドウ７、９が起立した状態になるので、前面ディスプレイウィンドウ７に表示される情報をユーザが便利な角度（例：３０度、６０度、７０度などのユーザ選択の任意の角度）で読取できるようにすることができる。
【００４３】
上記の前後面ディスプレイウィンドウ７、９がユーザの指定によって一定の角度に起立されることで、ユーザにより前後面ディスプレイウィンドウ７、９を見ることに視界を確保し、その便宜性を提供することができる。
【００４４】
添付された図６は本発明に係る携帯機器構造の使用例であって、上記のディスプレイ部１が起立した状態または本体と水平３の状態で、スライダー１５、１７を矢印３７方向に沿って一側へ移動させることができる。
【００４５】
一実施形態として、ディスプレイ部１が起立した状態でスライダー１５、１７を矢印３７方向に沿って一側へ押しながらディスプレイ部１を矢印３９方向に回すと、ディスプレイ部１が破線で表示した“Ａ”の位置に転換しながら後面ディスプレイウィンドウ９が前面にくるようになるので、前面に上がってきた後面ディスプレイウィンドウ９を便利に利用できるようにする。
【００４６】
更に他の一実施形態として、ディスプレイ部１の移動は必ず前述したような方法のみによりなされるものでなく、ディスプレイ部１を水平状態で矢印３７方向に沿って移動させてディスプレイ部１が本体１の開放部２９を通じて図５に破線で表示した“Ｂ”のように本体３の外側に抜け出るようにしたり、でなければディスプレイ部１を本体３の端部の端詰り部材４３により係止するようにした後、起こして回転させて立てて、前後面ディスプレイウィンドウ７、９の方向が転換されるようにすることができる。
【００４７】
即ち、図７に示すように、上記の手続きにより矢印方向に沿って携帯機器のディスプレイ部１の前後面ディスプレイウィンドウ７、９を一定角度に調整して表示されるようにすることができる。
【００４８】
さらに、本体３の結合溝２７には携帯機器の各種機能を作動させ操作できる操作部３ａが備えられるので、操作部３ａと離隔した結合溝２７の縁部に突起部３ｂが備えられ、ディスプレイ部１の底面と微細に離隔されてディスプレイ部１の移動時の揺れを防止する。
【００４９】
そして、操作部３ａは蓋タイプまたはスライディングタイプであって、本体３から分離することができ、その下側に無線またはインターネット、ＭＰ３、携帯電話、プレイステーション、ＤＭＢ、ＰＭＰ、情報表示のＰＤＡ、ＵＭＰＣ、電子辞書、またはナビゲーターのような機能が付加されたカード形態のモジュールを特定モジュールに取替えしたり、機能の追加、削除、またはアップグレードのためのスロット（Slot：図示せず）が備えられる。
【００５０】
また、ディスプレイ部１が起立した状態でスライダー１５、１７を一側方向に押しながら、またはスライダー１５、１７を本体３と水平の状態にスライダー溝３１、３３の端詰り部材４３まで押した後、ディスプレイ部１を回転させて回すと、ディスプレイウィンドウ７、９が前面または後面に回転可能であるので、ユーザが希望する用途に従いディスプレイウィンドウ７、９を駆動設置することができる。
【００５１】
一方、ディスプレイ部１のスライダー１５、１７を本体３のスライダー溝３１、３３の中に容易に結合させるために、図１に示すように、スライダー溝３１、３３の先端を開放切欠して開放通路４１を設け、開放通路４１を通じてスライダー溝３１、３３の中にスライダー１５、１７を挟み込んだ後、開放通路４１に端詰り部材４３を挟み込んで固定させた構造とすることができる。
【００５２】
図８は本発明の他の実施形態を示す図であって、ディスプレイ部１の両側側面に長手方向に沿ってスライダー溝５１、５３を形成し、本体３の結合溝２７の両側側壁２３、２５の内面に突出設置されたスライダー５５、５７が形成されて、これのスライダー５５、５７がディスプレイ部１のスライダー溝５１、５３に挿入されて挟まれることによって、本体３でディスプレイ部１がスライディング可能になる構造である。
【００５３】
上記のような構造において、前面のディスプレイウィンドウ７は映像圧縮技術の標準規格であるＭＰＥＧで規定した高音質オーディオ圧縮技術であって、インターネットから音楽のＭＰ３ファイルをダウンロードして内蔵されたメモリに格納して再生プログラムを用いて音楽を鑑賞するＭＰ３プレーヤ（ＭＰ３Ｐ）機能と、通話情報及び各種通信情報を表示し、音声通信、データ通信が可能な携帯電話固有の機能を遂行することができる。
【００５４】
また、裏面のディスプレイウィンドウ９にはビデオゲームを提供するプレイステーション（ＰＳＰ）、文字メッセージの送受信が可能で、無線インターネット基盤のサーフィンが可能で、電子メールを作成／確認することができ、電子辞書または手中のＰＣ機能を活用するためにキーボードが備えられたＰＭＰ、またはウルトラモバイルＰＣ（ＵＭＰＣ）、日程及びアドレス管理の他にもメモとデータ蓄積、無線通信網とインターネットへの接続が可能であるので、新たなデータ通信などが可能であるように設計された手帳サイズの個人向け携帯情報端末機（ＰＤＡ）と、音声・映像など、多様なマルチメディア信号をディジタル方式により変調・固定して該当プログラムを衛星に送出して衛星から送出したり、地上で該当周波数を用いてプログラムを転送して移動中に高音質・高画質の放送を提供するＤＭＢ（Digital
Multimedia Broadcasting）が表示されて駆動するようになる。
【００５５】
そして、上記の携帯機器構造はディスプレイウィンドウ７、９を可変的に構成できるので、一般音声通話、ＭＰ３Ｐ、短文メッセージなどは前面ディスプレイウィンドウ７の小画面（例：２．２″、２．０″等）を使用し、ＰＭＰ、ナビゲーター、ＵＭＰＣ、ゲーム、ウェブサーフィン、Ｅ−ｍａｉｌなどは後面ディスプレイウィンドウ９の大画面（例：４．３″、４．０″等）を使用するように構成することができる。
【００５６】
この際、上記画面のサイズ、前後面ディスプレイウィンドウ７、９の構成は、当業者によって選択的に適用するように構成することができる。
【００５７】
また、スライダー１５、１７には両側側壁２３、２５に１つ以上に備えられるストッパ３１ａ、３３ａ、３１ｂ、３３ｂと互いに作用して、ディスプレイ部１が本体３と水平状態を維持しながら移動できるようにしたり、または移動を一時停止させることができたり、またはスライダー溝３１、３３の端詰り部材４３でスライダー１５、１７の回転を一時停止させるようにすることができる停止溝１５ａ１７ａ、１５ｂ、１７ｂが１つ以上に備えられる。
【００５８】
一方、他の実施形態のスライディング部材は、図９に示すように、一対のスライダー１５、１７が位置する両側側壁２３、２５のスライダー溝３１、３３の上下面のうち、どれか１面に少なくとも１つのストッパ３１ａ、３３ａが各々形成され、該スライダー溝３１、３３に位置するスライダー１５、１７の外周面にストッパ３１ａ、３３ａと相応する停止溝１５ａ、１７ａが形成される。
【００５９】
したがって、ストッパ３１ａ、３３ａのうち、どれか１つにスライダー１５、１７の停止溝１５ａ、１７ａが位置すると、その間隔だけディスプレイ部１の移動間隔が相異して該ディスプレイ部１が本体３のスライダー溝３１から突出する長さが変更される。即ち、本体３とディスプレイ部１が水平状態を維持しながら移動できるようにしたり、または移動を一時停止させることができたり、またはスライダー溝３１、３３の端詰り部材４３でスライダー１５、１７の回転を一時停止させるようにすることができる停止溝１５ａ１７ａ、１５ｂ、１７ｂが１つ以上に備えられる。
【００６０】
そして、本実施形態において、ストッパ３１ａ、３３ａはスライダー溝３１、３３の内部の上面に形成されることと例示する。
【００６１】
そして、図１０に示すように、更に他の実施形態のスライディング部材は、前述した実施形態のようにスライダー溝３１、３３の上下面のうち、どれか一面に少なくとも１つのストッパ３１ｂ、３３ｂが各々形成され、該スライダー溝３１、３３に位置するスライダー１５、１７の外周面にストッパ３１ａ、３３ａと相応する停止溝１５ａ、１７ａ、１５ｂ、１７ｂが多数形成される。
【００６２】
ここで、停止溝１５ａ、１７ａは、ディスプレイ部１が０゜の位置に形成され、停止溝１５ｂ、１７ｂはディスプレイ部１が３０゜、４５゜、５０゜、６０゜、７０゜、８０゜、９０゜などに回転できるように形成される。
【００６３】
したがって、ストッパ３１ａ、３３ａのうち、どれか１つにスライダー１５、１７の停止溝１５ａ、１７ａが位置すると、その間隔だけディスプレイ部１の移動間隔が相異して該ディスプレイ部１が本体３のスライダー溝３１から突出する長さが変更されながらディスプレイ部１の角度が０゜から始めて３０゜、４５゜、５０゜、６０゜、７０゜、８０゜、９０゜などに変更可能である。即ち、本体３とディスプレイ部１が水平状態を維持しながら移動できるようにしたり、または移動を一時停止させることができたり、またはスライダー溝３１、３３の端詰り部材４３でスライダー１５、１７の回転を一時停止させるようにすることができる停止溝１５ａ１７ａ、１５ｂ、１７ｂが１つ以上に備えられる。
【００６４】
そして、本実施形態において、ストッパ３１ａ、３３ａはスライダー溝３１、３３の内部の上面に形成されることと例示する。
【００６５】
そして、図１１及び図１２に示すように、更に他の実施形態に従うスライディング部材のスライダー１５は、スライダー溝３１の内部に挿入されて上下面接触する六角面体形状の移動ブロック１５’と、該移動ブロック１５’の内側壁に回転されるように結合されて回転される連結部材１５″とからなる。
【００６６】
この際、スライダー溝３１にスライダー１５の移動ブロック１５’が挿入されれば、該スライダー溝３１及び移動ブロック１５’が面接触することによって、ディスプレイ部１の移動時の揺れを防止し、移動ブロック１５’と結合された連結部材１５″によりディスプレイ部１の回転が可能である。
【００６７】
そして、前述したように、スライダー溝３１と離隔した他のスライダー溝３３及びスライダー１７にも同一に適用される。
【００６８】
さらに、図１３に示すように、前述した実施形態において、移動ブロック１５’と連結部材１５″との接触面に鋸歯が形成されて、ディスプレイ部１の角度調節が容易で、かつその角度が自重により変更されることを防止するストッパ（Stopper）の役目をする。
【００６９】
一方、図１４に示すように、ディスプレイ部１を移動させる時、該ディスプレイ部１の中心の以外にどれか一端を押してもスライダー１５、１７に応力が集中されることを防止しながら水平移動することができる。
【００７０】
即ち、スライダー１５、１７にはその内側または外側に回転されるようにピニオン（Pinion）４０が備えられ、ピニオン４０に歯合されながらディスプレイ部１が水平移動できるように、スライダー溝３１、３３の底に固定されるラック（Rack）４２が備えられる。
【００７１】
そして、図１５乃至図１７に示すように、更に他の実施形態のスライディング部材はガイド部材５０とスライダー８０とからなり、本体３に備えられた両側のうち、一側のみを説明する。
【００７２】
ガイド部材５０は、本体３の側壁２５に形成されたスライダー溝３３の内部に各々位置できるように相応したサイズを持つブロックであって、その内側面に円柱状のガイド突起部５２が形成され、ガイド突起部５２の上段に溝部５４が形成され、その一側に延びる延長部５６が形成される。
【００７３】
ここで、スライダー溝３３の両端部には端詰り部材４３が各々固定され、開口される外側に長手方向にスリット（Slit）形態で延長形成されてから、延長部５６と相応する対向位置でスライダー８０の回転に従う円形のホールである移動孔７３が形成されるカバー部材７０により仕上げられる。
【００７４】
そして、延長部５６にはディスプレイ部１に連結されたスライダー８０が移動して設定角度に回転でき、かつ移動位置限定及び回転角度を制限する回転部材６０及び復原部７２が備えられる。
【００７５】
ガイド部材５０は、延長部５６に回転部材６０の結合突起６２と相応するように陥没形成された結合溝５２ａが備えられる。
【００７６】
延長部５６にはその前面に形成された回転部材６０の挿入突起６４と相応した形状でディスプレイ部１の回転角度に従い１つ以上が異なるように形成される挿入溝５８が１つ以上備えられ、かつ挿入溝５８は一例として該ディスプレイ部１の角度が０゜から始めて３０゜、４５゜、５０゜、６０゜、７０゜、８０゜、９０゜などに変更可能に形成されることができる。そして、延長部５６の後面には復原部７２が挿入されて位置するホール５６ａが形成される。
【００７７】
溝部５４には不規則な間隔を有し、かつスライダー８０の係止溝８６がかかってディスプレイ部１の移動位置を該溝部５４の途中で限定できるように係止突起５４ａが１つ以上形成される。
【００７８】
ここで、係止突起５４ａは溝部５４から一側を除外した残りを周りに沿って切欠し、切欠された一端が前後に移動可能で、移動可能なその端部を膨らんで突出形成してスライダー８０の係止溝８６がかかるようにしたものである。
【００７９】
回転部材６０は、ガイド突起部５２と同心をなしながら延長部５６の挿入溝５８の中心を基点にして回転され、一側に結合溝５２ａにかかるように結合突起６２が形成され、その上部の中心にスライダー８０の第１溝８４にかかって該スライダー８０の移動位置が制限できる停止突起６６が形成され、その内側中心部に挿入溝５８と相応した形状で形成されながら回転してから、該挿入溝５８の回転角度と一致すれば挿入される挿入突起６４が形成される。
【００８０】
復原部７２は、ディスプレイ部１の両側に固定されたスライダー８０の接触部８２が移動して回転部材６０に位置すると、設定角度に回転が可能であり、回転される挿入突起６４が挿入溝５８と一致する時、復原力により該挿入突起６４が該挿入溝５８の内部に挿入されながら外力により挿入突起６４を挿入溝５８から離脱させる場合、復原力により原位置に移動させる機能をする。
【００８１】
即ち、復原部７２はその先端に回転部材６０の挿入突起６４に締結される螺旋が形成され、その中心部にフランジ形態で一体形成される固定部材７４が形成されて、一体で回転されるボルト形状で形成され、回転部材６０を復原力により引きながら捩れの際、原位置に復帰できる復原力を提供するスプリングである弾性部材７６が、その一端は固定部材７４に固定され、その他端は延長部５６のホール５６ａに固定される。
【００８２】
スライダー８０は、一端がガイド部材５０のガイド突起部５２と相応する円筒形状であって、その一端に固定部８８と延長線上の位置に切欠部８２ａが形成され、上段中心部に外壁と連結されながら回転部材６０の停止突起６６にかかるように形成される第１溝８４と、溝部５４の係止突起５４ａにかかるように係止溝８６が切欠部８２ａの上部に形成される接触部８２と、接触部８２の後面の中心部に延長形成される十字形態の固定部８８とからなり、固定部８８はディスプレイ部１に堅く固定できるように十字形態の固定部８８が該ディスプレイ部１の内部に位置する。
【００８３】
したがって、本実施形態におけるスライダーは、図１８ａ乃至図１８ｃに示すように、その一端に形成された固定部８８がディスプレイ部１の両側に固定され、その他端はカバー部材７０の移動孔７３を通じてスライダー溝３３の内部に備えられたガイド部材５０のガイド突起部５２に結合された状態で水平移動し、溝部５４に形成された１つ以上の係止突起５４ａに接触部８２の係止溝８６が位置して移動位置が固定される。
【００８４】
そして、スライダー８０をさらに移動して接触部８２が延長部５６の先端に備えられる回転部材６０に位置すると、ディスプレイ部１の角度変更が可能であり、回転部材６０、スライダー８０、及びディスプレイ部１が回転して最先端に位置した該回転部材６０の挿入突起６４が挿入溝５８と相応した角度に変更されると共に、該挿入突起６４が該挿入溝５８に復原部７２の復原力により挿入される。
【００８５】
ここで、回転部材６０は挿入突起６４が挿入溝５８の形成角度だけ回転されると、復原部７２の復原力により位置固定が可能で、かつ原位置に復帰する場合、該挿入溝５８から挿入突起６４を強制に離脱させれば、弾性部材７６により回転部材６０はガイド突起部５２と同心線上に位置する。
【００８６】
一方、図１９及び図２０に示すように、ディスプレイ部１を移動させる時、該ディスプレイ部１の中心の以外にどれか一端を押しても一側のみ説明するスライダー９８に応力が集中されることを防止しながら水平移動することができる。
【００８７】
即ち、スライダー９８には十字形状で形成される一側の固定部９８ａがディスプレイ部１の内部に固定されながら他側の上部で軸９６により第１ピニオン（Pinion）９０が固定されて備えられ、第１ピニオン９０に歯合されながらディスプレイ部１が水平移動できるように側壁２５のスライダー溝３３に固定される第１ラック（Rack）９２が備えられる。
【００８８】
ここで、スライダー９８の固定部９８ａは、その両端部が端詰り部材４３により詰りながらスライダー溝３３の外側に固定されるカバー部材７０の移動孔７３を通じて第１ピニオン９０が結合される。
【００８９】
さらに、第１ピニオン９０の上部には長手方向に延びるガイドブロック９４が備えられ、ガイドブロック９４が内部に位置し、かつ直線移動できるように、スライダー溝３３の天井に長手方向にガイド溝５２ａが形成される。
【００９０】
そして、図２１及び図２２に示すように、本体３の背面には別途の着脱式補助バッテリパック６が固定ねじＰにより着脱される。
【００９１】
即ち、補助バッテリパック６は、その底面に本体３の内部のＰＣＢ基板Ｐに接続される溝形態の雌端子４ａと相応した位置である対角線または対向した方向の端部に電気的に連結できるように雄端子７ａが各々備えられ、他の対角線または対向した方向の端部には本体３に溝形態のガイド溝４ｂと相応した位置に結合が容易であるようにガイド突起７ｂが各々形成される。
【００９２】
結局、本体３の内部には基本的にバッテリ（図示せず）が備えられ、かつ充電せず長時間の間使用するために別途の補助バッテリパック６が備えられ、補助バッテリパック６と該本体３との接続は該補助バッテリパック６の底面に備えられた雄端子７ａと本体３のＰＣＢ基板Ｐに装着される雌端子４ａとの結合の下になされる。
【００９３】
ここで、補助バッテリパック６のガイド突起７ｂは、本体３に該補助バッテリパック６を装着する際、該本体３に備えられるガイド溝４ｂとの締結により装着が容易に行われる。
【００９４】
そして、本体３の底面に着脱される補助バッテリパック６には車両の前面ガラスＧに着脱できる吸着式据置台８がさらに備えられる。
【００９５】
以上、本発明は前述した実施形態により限定されず、当業者により多様な変形及び変更が可能であり、これは添付された請求項で定義される本発明の趣旨と範囲に含まれる。
【図面の簡単な説明】
【００９６】
【図１】本発明に係る携帯機器構造を示す分離斜視図である。
【図２】本発明に係る携帯機器構造の結合斜視図である。
【図３】図面１のＡ−Ａ線による断面図であって、本発明に係る携帯機器のディスプレイ部の構造を示す図である。
【図４】図２のＢ−Ｂ線による断面図であって、本発明に係る携帯機器のディスプレイ部と本体との結合構造を示す図である。
【図５】本発明に係る携帯機器構造の使用例を示す結合側断面図である。
【図６】本発明に係る携帯機器構造の使用例を示す図である。
【図７】図６において、携帯機器構造を一定角度に調整したことを表示した一実施形態である。
【図８】本発明の他の実施形態を示す図である。
【図９】本発明の他の実施形態のスライディング部材を示す図である。
【図１０】本発明の更に他の実施形態のスライディング部材を示す図である。
【図１１】本発明の更に他の実施形態に係るスライディング部材を示す図である。
【図１２】本発明の更に他の実施形態に係るスライディング部材を示す図である。
【図１３】本発明の更に他の実施形態に係るスライディング部材を示す図である。
【図１４】本発明の更に他の実施形態に係るスライディング部材を示す図である。
【図１５】本発明の更に他の実施形態に係るスライディング部材と上記スライディング部材が結合されるガイド部材を示す図である。
【図１６】図１５の縦・横断面の状態を示す図である。
【図１７】図１５の縦・横断面の状態を示す図である。
【図１８ａ】上記スライディング部材がガイド部材に沿って移動及び回動する状態を示す図である。
【図１８ｂ】上記スライディング部材がガイド部材に沿って移動及び回動する状態を示す図である。
【図１８ｃ】上記スライディング部材がガイド部材に沿って移動及び回動する状態を示す図である。
【図１９】本発明の更に他の実施形態に係るスライディング部材を示す図である。
【図２０】本発明の更に他の実施形態に係るスライディング部材を示す図である。
【図２１】本発明に係る携帯機器構造において、本体に補助バッテリパックが備えられた状態と補助バッテリパックに設けられる吸着式据置台を示す図である。
【図２２】本発明に係る携帯機器構造において、本体に補助バッテリパックが備えられた状態と補助バッテリパックに設けられる吸着式据置台を示す図である。
【符号の説明】
【００９７】
１    ディスプレイ部
３    本体
５    回路基板
７    前面ディスプレイウィンドウ
９    後面ディスプレイウィンドウ
１１、１３    側面
１５、１７    スライダー
１９    底壁
２１、２３、２５    側壁
２７    結合溝
２９    開放部
３１、３３    スライダー溝
３５    バッテリ
３７、３９    矢印
４０    ピニオン
４２    ラック
４１    開放通路
４３    端詰り部材
１５ａ、１７ａ、１５ｂ、１７ｂ    停止溝
３１ａ、３３ａ、３１ｂ、３３ｂ    ストッパ
【図１】
2009536495.tif 000003
【図２】
2009536495.tif 000004
【図３】
2009536495.tif 000005
【図４】
2009536495.tif 000006
【図５】
2009536495.tif 000007
【図６】
2009536495.tif 000008
【図７】
2009536495.tif 000009
【図８】
2009536495.tif 000010
【図９】
2009536495.tif 000011
【図１０】
2009536495.tif 000012
【図１１】
2009536495.tif 000013
【図１２】
2009536495.tif 000014
【図１３】
2009536495.tif 000015
【図１４】
2009536495.tif 000016
【図１５】
2009536495.tif 000017
【図１６】
2009536495.tif 000018
【図１７】
2009536495.tif 000019
【図１８（ａ）】
2009536495.tif 000020
【図１８（ｂ）】
2009536495.tif 000021
【図１８（ｃ）】
2009536495.tif 000022
【図１９】
2009536495.tif 000023
【図２０】
2009536495.tif 000024
【図２１】
2009536495.tif 000025
【図２２】
2009536495.tif 000026
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
通話情報及びその他の各種の通信情報を表示するためのディスプレイ部と前記ディスプレイ部が結合支持される本体とからなり、前記ディスプレイ部は前面及び後面にディスプレイウィンドウを備えており、かつ長手方向に沿う一側先端の両側面にスライディング部材が形成され、前記本体は中心部にディスプレイ部が安着結合される結合溝がなされており、前記結合溝の両側側壁の内面に前記ディスプレイ部のスライディング部材と結合されるスライディング部材が形成されている一方、前記本体のスライディング部材に前記ディスプレイ部のスライディング部材がスライディングされて移動できるように挟まれて挿入されたことを特徴とする携帯機器構造。
【請求項２】
前記ディスプレイ部のスライディング部材は長手方向に沿って両側の外側壁に形成されたスライド溝であり、本体のスライディング部材は結合溝の両側側壁の内面に突出設置されたスライダーであることを特徴とする請求項１に記載の携帯機器構造。
【請求項３】
前記ディスプレイ部は、回路基板を挟んで前後面の両側にディスプレイウィンドウを備えていることを特徴とする請求項１に記載の携帯機器構造。
【請求項４】
前記スライダーを中心としてディスプレイ部を持ち上げれば、前後面のディスプレイウィンドウが起立した状態になって、前面ディスプレイウィンドウまたは後面ディスプレイウィンドウに表示される情報をユーザが便利な角度で読取できるように構成されたことを特徴とする請求項１または２に記載の携帯機器構造。
【請求項５】
前記ディスプレイ部が起立した状態でスライダーを一側に押しながら前記ディスプレイ部を回すと、前記ディスプレイウィンドウが前面または後面に回転可能に構成されたことを特徴とする請求項４に記載の携帯機器構造。
【請求項６】
前記前面のディスプレイウィンドウは無線またはインターネットから音楽のＭＰ３ファイルをダウンロードして再生プログラムを用いて音楽を鑑賞するＭＰ３プレーヤ（ＭＰ３Ｐ）、または携帯電話固有の機能を遂行することに必要とされる情報を表示するようにすることができ、裏面のディスプレイウィンドウにはビデオゲームを提供するプレイステーション、ＤＭＢ、メモリに格納された映画再生のＰＭＰ、情報表示のＰＤＡ、ＵＭＰＣ、電子辞書、またはナビゲーターのような機能を遂行することに必要とされる映像または情報が表示されるように構成することを特徴とする請求項１、２及び３のうち、いずれか１つに記載の携帯機器構造。
【請求項７】
前記スライダー溝の上下面のうち、どれか１面に少なくとも１つのストッパが形成されることができ、該スライダー溝に位置するスライダーの外周面に前記ストッパと相応する停止溝が形成できるので、前記スライダーに結合されたディスプレイ部が長手方向に間隔調節できることを特徴とする請求項２に記載の携帯機器構造。
【請求項８】
前記スライダー溝の上下面のうち、どれか一面に少なくとも１つのストッパが形成されることができ、該スライダー溝に位置するスライダーの外周面に前記ストッパと相応する停止溝が多数形成できるので、前記スライダーに結合されたディスプレイ部が長手方向の間隔調節及び角度調節できることを特徴とする請求項２に記載の携帯機器構造。
【請求項９】
前記停止溝の形成角度は、０゜、３０゜、４５゜、５０゜、６０゜、７０゜、８０゜、９０゜など、水平以上の角度であることを特徴とする請求項８に記載の携帯機器構造。
【請求項１０】
前記スライダーは、前記スライダー溝の内部に挿入されて上下面接触する移動ブロックと、前記移動ブロックの内側壁に回転されるように結合されて回転される連結部材とからなることができることを特徴とする請求項２に記載の携帯機器構造。
【請求項１１】
前記移動ブロックと連結部材との接触面に相応する鋸歯が各々形成されて前記ディスプレイ部の角度が調節できることを特徴とする請求項１０に記載の携帯機器構造。
【請求項１２】
前記結合溝にはその両端に前記ディスプレイ部の移動方向と平行する突起部が前記ディスプレイ部の表面と微細に離隔した状態に形成できることを特徴とする請求項２に記載の携帯機器構造。
【請求項１３】
前記本体には機能を選択し操作するキーボード形態で蓋タイプまたはスライディングタイプで開放される操作部がさらに備えられ、前記操作部の内部に機能を追加、取替、削除、またはアップグレードできるスロット（Slot）が備えられることを特徴とする請求項１に記載の携帯機器構造。
【請求項１４】
前記スライダーにはその内側または外側に回転されるようにピニオンが備えられ、前記ピニオンに歯合され、前記ディスプレイ部が水平移動できるように前記スライダー溝の底に固定されるラックが備えられることを特徴とする請求項２に記載の携帯機器構造。
【請求項１５】
前記スライダーは、その先端が前記本体の両側スライダー溝に各々挿入されるブロック形態であるガイド部材のガイド突起部に従って一律的に移動し、かつ、
前記ガイド突起部に挿入できるように相応する円筒形状でその一側が部分切欠された切欠部の上段に係止溝が形成され、上面中心部に端部から始まる第１溝が形成される接触部と、前記接触部の後段中心部に十字形状で形成されて前記ディスプレイ部に固定される固定部とからなることができることを特徴とする請求項２に記載の携帯機器構造。
【請求項１６】
前記ガイド部材は、前記スライダーの接触部が結合される水平円柱形状で一側面に結合溝が形成されるガイド突起部と、前記結合溝の反対方向に延びる延長部の前面で前記スライダーの接触部が移動して外周面に位置した状態で前記延長部に前記ディスプレイ部の回転角度に従い１つ以上が異なるように形成される挿入溝と、前記ガイド突起部の上部に不規則な間隔を有するように１つ以上に形成されて、前記接触部の係止溝がかかって移動位置が制限できる係止突起とからなることができることを特徴とする請求項１５に記載の携帯機器構造。
【請求項１７】
前記延長部には前記スライダーが移動して前記ディスプレイ部の回転角だけ同一に回転できるように前記挿入溝とその反対方向に締結されて備えられ、かつ、
前記ガイド突起部と同一な直径を有する円柱形状で前記結合溝と相応する結合突起が一側面に形成され、上面の中央部に前記第１溝に相応し、かつ該スライダーの位置を制限する停止突起と、該内側面に前記挿入溝と相応する形状でガイド面と対向する一側面に形成されて、該挿入溝と同一な角度に回転されれば挿入される挿入突起から構成される回転部材と、
前記回転部材の挿入突起に前記延長部の後方で前記挿入ホールを通じて締結され、前記挿入突起に締結される先端に形成されるフランジ形態の固定部材と、前記固定部材に一端が固定され、他端は前記延長部のホールに固定されて捩れることと、水平方向に復原力を提供する弾性部材とから構成される復原部と、
からなることができることを特徴とする請求項１６に記載の携帯機器構造。
【請求項１８】
前記スライダーはその一端が前記ディスプレイ部に固定される十字形状で他端に回転されるように第１ピニオンが備えられ、前記ピニオンに歯合され、前記ディスプレイ部が水平移動できるように前記スライダー溝の側壁に固定される第１ラックが備えられることを特徴とする請求項２に記載の携帯機器構造。
【請求項１９】
前記第１ピニオンの上部に軸により固定されるガイドブロックが備えられ、前記ガイドブロックが移動できるように前記スライダー溝の上部に長手方向のガイド溝が形成できることを特徴とする請求項１８に記載の携帯機器構造。
【請求項２０】
前記本体の背面には別途の着脱式補助バッテリパックがさらに備えられることを特徴とする請求項１に記載の携帯機器構造。
【請求項２１】
前記補助バッテリパックは、その底面に前記本体の内部のＰＣＢ基板に接続される溝形態の雌端子と相応した位置である対角線方向に電気的に連結できるように雄端子が各々備えられ、他の対角線方向には前記本体に溝形態のガイド溝と相応した位置に結合が容易であるようにガイド突起が各々形成できることを特徴とする請求項２０に記載の携帯機器構造。
【請求項２２】
前記補助バッテリパックには車両の前面ガラスに着脱できる吸着式据置台がさらに備えられることを特徴とする請求項２０に記載の携帯機器構造。
【手続補正書】
【提出日】平成21年1月13日(2009.1.13)
【手続補正１】
【補正対象書類名】特許請求の範囲
【補正対象項目名】請求項１
【補正方法】変更
【補正の内容】
【請求項１】
通話情報及びその他の各種の通信情報を表示するためのディスプレイ部と前記ディスプレイ部が結合支持される本体とからなり、前記ディスプレイ部は１つ以上のディスプレイウィンドウを備えており、かつ長手方向に沿う一側先端の両側面にスライディング部材が形成され、前記本体は中心部にディスプレイ部が安着結合される結合溝がなされており、前記結合溝の両側側壁の内面に前記ディスプレイ部のスライディング部材と結合されるスライディング部材が形成されている一方、前記本体のスライディング部材に前記ディスプレイ部のスライディング部材がスライディングされて移動できるように挟まれて挿入されたことを特徴とする携帯機器構造。
【手続補正２】
【補正対象書類名】特許請求の範囲
【補正対象項目名】請求項２１
【補正方法】変更
【補正の内容】
【請求項２１】
前記補助バッテリパックは、その底面に前記本体の内部のＰＣＢ基板に接続される溝形態の雌端子と相応した位置である対角線又は対向した方向に電気的に連結できるように雄端子が各々備えられ、他の対角線方向には前記本体に溝形態のガイド溝と相応した位置に結合が容易であるようにガイド突起が各々形成できることを特徴とする請求項２０に記載の携帯機器構造。
【国際調査報告】
2009536495.tif 000027
2009536495.tif 000028